(57)【要約】【課題】追加の回路構成を伴わずにフィルタコンデンサの電荷を放電させ得る系統連系システムを提供する。【解決手段】制御回路１３０から第１の指令信号が出力されると、ハイサイドトランジスタ群Ｔｘの各々Ｔ２ａ，Ｔ２ｃが導通状態（オン状態）とされ、且つ、ローサイドトランジスタ群Ｔｙの各々Ｔ２ｂ，Ｔ２ｄが非導通状態（オフ状態）とされる。これによると、系統電源との解列後、インバータ回路１２０を第１の指令信号によってスイッチング制御することで、フィルタコンデンサＣｆの電荷の放電経路をインバータ回路に形成させる。この為、当該系統連系システム１０は、回路を別途設けることなく、簡素な構成でフィルタコンデンサの電荷を放電させることが可能となる。【選択図】図３
2014117086.tif 000002
【特許請求の範囲】
【請求項１】
パワートランジスタを直列接続させた半導体アームを複数有する回路であって分散型電源に基づく供給電力を交流電力へ変換させるインバータ回路と、フィルタ用リアクトルと、前記インバータ回路の出力電力を系統電源へ逆潮流可能に接続させる複数の電源ラインと、一端が前記電源ラインの一方に接続され他端が前記電源ラインの他方に接続されたフィルタコンデンサと、前記電源ラインのうち前記フィルタコンデンサと前記系統電源との間に設けられ当該系統電源との解列及び連系を切換える電路遮断部と、前記パワートランジスタの動作を指令する制御回路と、を備える系統連系システムにおいて、
前記電路遮断部が解列状態とされた後、
前記制御回路は、前記半導体アームの各々に設けられたハイサイド側のパワートランジスタより成るハイサイドトランジスタ群を導通状態とさせ、且つ、前記半導体アームの各々に設けられたローサイド側のパワートランジスタより成るローサイドトランジスタ群を非導通状態とさせる第１の指令信号を出力させることを特徴とする系統連系システム。
【請求項２】
パワートランジスタを直列接続させた半導体アームを複数有する回路であって分散型電源に基づく供給電力を交流電力へ変換させるインバータ回路と、フィルタ用リアクトルと、前記インバータ回路の出力電力を系統電源へ逆潮流可能に接続させる複数の電源ラインと、一端が前記電源ラインの一方に接続され他端が前記電源ラインの他方に接続されたフィルタコンデンサと、前記電源ラインのうち前記フィルタコンデンサと前記系統電源との間に設けられ当該系統電源との解列及び連系を切換える電路遮断部と、前記パワートランジスタの動作を指令する制御回路と、を備える系統連系システムにおいて、
前記電路遮断部が解列状態とされた後、
前記制御回路は、前記半導体アームの各々に設けられたハイサイド側のパワートランジスタより成るハイサイドトランジスタ群を非導通状態とさせ、且つ、前記半導体アームの各々に設けられたローサイド側のパワートランジスタより成るローサイドトランジスタ群を導通状態とさせる第２の指令信号を出力させることを特徴とする系統連系システム。
【請求項３】
パワートランジスタを直列接続させた半導体アームを複数有する回路であって分散型電源に基づく供給電力を交流電力へ変換させるインバータ回路と、フィルタ用リアクトルと、前記インバータ回路の出力電力を系統電源へ逆潮流可能に接続させる複数の電源ラインと、一端が前記電源ラインの一方に接続され他端が前記電源ラインの他方に接続されたフィルタコンデンサと、前記電源ラインのうち前記フィルタコンデンサと前記系統電源との間に設けられ当該系統電源との解列及び連系を切換える電路遮断部と、前記パワートランジスタの動作を指令する制御回路と、を備える系統連系システムにおいて、
前記電路遮断部が解列状態とされた後、
前記制御回路は、
前記半導体アームの各々に設けられたハイサイド側のパワートランジスタより成るハイサイドトランジスタ群を導通状態とさせ、且つ、前記半導体アームの各々に設けられたローサイド側のパワートランジスタより成るローサイドトランジスタ群を非導通状態とさせる第１の指令信号と、
前記半導体アームの各々に設けられたハイサイド側のパワートランジスタより成るハイサイドトランジスタ群を非導通状態とさせ、且つ、前記半導体アームの各々に設けられたローサイド側のパワートランジスタより成るローサイドトランジスタ群を導通状態とさせる第２の指令信号と、を交互に出力させることを特徴とする系統連系システム。
【発明の詳細な説明】
【技術分野】
【０００１】
本発明は、系統連系システムに関し、特に、系統電源から解列された場合の好ましい動作に関する。
【背景技術】
【０００２】
系統連系システムは、分散型電源と系統電源との間に介在するものであって、電源ラインを介してこれらの電源に適宜接続される。この系統連系システムは、パワーコンディショナー，パワーコンディショナーと系統電源との間に設けられるフィルタ回路，系統電源との解列用リレー等を備えている。そして、常時は、分散型電源から系統電源へ向けて発電電力を供給させ、系統電源の停電時は、系統電源から解列させる。
【０００３】
解列用リレーは、系統電源が正常に回復した後、電力会社から指定された一定時間経過後、元の連系状態へ自動的に復帰する。このとき、フィルタコンデンサの極性と復帰時の系統電源の極性とが逆極性の場合、フィルタコンデンサには、当該コンデンサの電荷零状態から連系される場合と比べ、二倍相当の突入電流が流れる惧れがあり、これに伴い、フィルタコンデンサの劣化、解列用リレーの劣化を招きかねない。
【０００４】
かかる問題を回避するため、例えば、特開２００１−１８６６６４号公報（特許文献１）または特開２００３−１６９４７４号公報（特許文献２）等の技術を用いれば、フィルタ回路に適宜の回路を別途設け、解列動作後にフィルタコンデンサの電荷を放電させることで、フィルタコンデンサ又はリレー回路等の素子を保護することが可能である。
【先行技術文献】
【特許文献】
【０００５】
【特許文献１】特開２００１−１８６６６４号公報
【特許文献１】特開２００３−１６９４７４号公報
【発明の概要】
【発明が解決しようとする課題】
【０００６】
しかしながら、特許文献１又は特許文献２の技術によれば、フィルタコンデンサから電荷を放電させる回路が別途必要となる為、かかるシステムの回路構成が煩雑となり、装置の高コスト化を招いてしまう。
【０００７】
本発明は上記課題に鑑み、追加の回路構成を伴わずにフィルタコンデンサの電荷を放電させ得る系統連系システムの提供を目的とする。
【課題を解決するための手段】
【０００８】
上記課題を解決するため、第１の発明では次のようなパワーコンディショナーの構成とする。即ち、パワートランジスタを直列接続させた半導体アームを複数有する回路であって分散型電源に基づく供給電力を交流電力へ変換させるインバータ回路と、フィルタ用リアクトルと、前記インバータ回路の出力電力を系統電源へ逆潮流可能に接続させる複数の電源ラインと、一端が前記電源ラインの一方に接続され他端が前記電源ラインの他方に接続されたフィルタコンデンサと、前記電源ラインのうち前記フィルタコンデンサと前記系統電源との間に設けられ当該系統電源との解列及び連系を切換える電路遮断部と、前記パワートランジスタの動作を指令する制御回路と、を備える系統連系システムにおいて、
前記電路遮断部が解列状態とされた後、前記制御回路は、前記半導体アームの各々に設けられたハイサイド側のパワートランジスタより成るハイサイドトランジスタ群を導通状態とさせ、且つ、前記半導体アームの各々に設けられたローサイド側のパワートランジスタより成るローサイドトランジスタ群を非導通状態とさせる第１の指令信号を出力させることとする。
【０００９】
また、第２の発明では次のようなパワーコンディショナーの構成とする。即ち、パワートランジスタを直列接続させた半導体アームを複数有する回路であって分散型電源に基づく供給電力を交流電力へ変換させるインバータ回路と、フィルタ用リアクトルと、前記インバータ回路の出力電力を系統電源へ逆潮流可能に接続させる複数の電源ラインと、一端が前記電源ラインの一方に接続され他端が前記電源ラインの他方に接続されたフィルタコンデンサと、前記電源ラインのうち前記フィルタコンデンサと前記系統電源との間に設けられ当該系統電源との解列及び連系を切換える電路遮断部と、前記パワートランジスタの動作を指令する制御回路と、を備える系統連系システムにおいて、
前記電路遮断部が解列状態とされた後、前記制御回路は、前記半導体アームの各々に設けられたハイサイド側のパワートランジスタより成るハイサイドトランジスタ群を非導通状態とさせ、且つ、前記半導体アームの各々に設けられたローサイド側のパワートランジスタより成るローサイドトランジスタ群を導通状態とさせる第２の指令信号を出力させることとする。
【００１０】
また、第３の発明では次のようなパワーコンディショナーの構成とする。即ち、パワートランジスタを直列接続させた半導体アームを複数有する回路であって分散型電源に基づく供給電力を交流電力へ変換させるインバータ回路と、フィルタ用リアクトルと、前記インバータ回路の出力電力を系統電源へ逆潮流可能に接続させる複数の電源ラインと、一端が前記電源ラインの一方に接続され他端が前記電源ラインの他方に接続されたフィルタコンデンサと、前記電源ラインのうち前記フィルタコンデンサと前記系統電源との間に設けられ当該系統電源との解列及び連系を切換える電路遮断部と、前記パワートランジスタの動作を指令する制御回路と、を備える系統連系システムにおいて、
前記電路遮断部が解列状態とされた後、前記制御回路は、前記半導体アームの各々に設けられたハイサイド側のパワートランジスタより成るハイサイドトランジスタ群を導通状態とさせ、且つ、前記半導体アームの各々に設けられたローサイド側のパワートランジスタより成るローサイドトランジスタ群を非導通状態とさせる第１の指令信号と、前記半導体アームの各々に設けられたハイサイド側のパワートランジスタより成るハイサイドトランジスタ群を非導通状態とさせ、且つ、前記半導体アームの各々に設けられたローサイド側のパワートランジスタより成るローサイドトランジスタ群を導通状態とさせる第２の指令信号と、を交互に出力させることとする。
【発明の効果】
【００１１】
本発明に係る系統連系システムによると、系統電源との解列後にインバータ回路を制御することで、フィルタコンデンサの電荷の放電経路をインバータ回路に形成させる。この為、当該系統連系システムは、回路を別途設けることなく、簡素な構成でフィルタコンデンサの電荷を放電させることが可能となる。
【図面の簡単な説明】
【００１２】
【図１】系統連系システムの構成を説明する図。
【図２】ハイサイドトランジスタ群とローサイドトランジスタ群とを説明する図。
【図３】フィルタコンデンサの電荷の放電経路を説明する図（其の１）。
【図４】フィルタコンデンサの電荷の放電経路を説明する図（其の２）。
【発明を実施するための形態】
【００１３】
以下、本発明に係る実施の形態につき図面を参照して具体的に説明する。図１は、系統連系システム１０の構成が説明されている。尚、同図には、系統電源に接続される各種配電線が示されている。このうち、電源ラインＬ１及びＬ２は、図示されないトランスを介して、系統連系システム１０のインバータと系統電源（商用電源）とを電気的に接続させている。また、この電源ラインＬ１及びＬ２に設けられた分枝点ｔｐ，ｔｎには、電源ラインＬｐ，Ｌｎが接続されている。また、この電源ラインＬｐ，Ｌｎには、ブレーカ(リレーＲＹ１)が介挿されると供に、適宜の負荷ＬＤ１が電気的に接続される。かかる負荷ＬＤ１は、複数接続される場合もある。
【００１４】
本実施の形態に係る系統連系システム１０は太陽電池モジュールＰＶＰ（特許請求の範囲における分散型電源）と、接続箱ＰＶＢと、パワーコンディショナーユニット１００と、これに接続される電源ラインＬ１及びＬ２と、解列用リレーＲＹ３（電路遮断部）と、単独運転検出装置１５０と、適宜の信号ライン等によって構成される。
【００１５】
接続箱ＰＶＢは、太陽電池モジュールＰＶＰの各モジュールから各々供給された発電電力を結合させ、これを第１の直流電力として出力させる。かかる接続箱ＰＶＢは、パワーコンディショナーユニット１００の入力部１０１へ電気的に接続され、太陽電池モジュールＰＶＰから与えられた発電電力を発電部用入力部１０１へ印加させる。
【００１６】
パワーコンディショナーユニット１００は、昇圧コンバータ１１０と，インバータ回路１２０と，制御回路１３０と，フィルタ回路１４０とから構成され、更に、入力部１０１，出力部１０２，電源ラインＬ１及びＬ２，適宜の信号ラインが設けられている。
【００１７】
昇圧コンバータ１１０は、入力電圧を昇圧させ且つ最大電力追従するよう機能する。この最大電力追従制御とは、所謂、ＭＰＰＴ（Maximum Power Point Tracker）方式による制御を指す。尚、ＭＰＰＴ方式については、例えば、特開２０１１−１０１４５５号公報等で周知の技術であり、其の説明を省略することとする。図示の如く、昇圧コンバータ１１０は、電源ラインＬａにリアクトルＬｃ１及びダイオードＤ１が介挿入され、電源ラインのＬａ〜Ｌｂ間にパワートランジスタＴ１が接続されている。また、ダイオードＤ１のカソード側では、平滑コンデンサＣ１ａがパワートランジスタＴ１に対して並列接続される。昇圧コンバータ１１０では、発電用入力端子１０１を介して第１の直流電力が入力され、これを昇圧して、第２の直流電力としてインバータ１２０へ出力する。
【００１８】
尚、第１の直流電力は、接続箱ＰＶＢを経由して間接的に供給されるものであるが、太陽電池モジュールＰＶＰを電力源とするところ、分散型電源に基づいて供給される電力とされる。また、第２の直流電力は、「接続箱ＰＶＢ」→「昇圧コンバータ１１０」といったように、前段回路を経由して間接的に供給されるものであるが、これも太陽電池モジュールＰＶＰを電力源とするところ、分散型電源に基づいて供給される電力の一形態とされる。このように、分散型電源に基づく供給電力とは、当該電力の途中の変化状態を問うものではない。
【００１９】
インバータ１２０は、パワートランジスタＴ２ａ及びＴ２ｂを直列接続させた第１の半導体アームと、Ｔ２ｃ及びＴ２ｄを直列接続させた第２の半導体アームとを備え、これら複数の半導体アームが電源ラインＬａ，Ｌｂを介して並列接続されている。Ｔ２ａとＴ２ｂの接点ｔ１（出力端）は、電源ラインＬ１がフィルタ用リアクトルＬｆを通じて接続され、これを介して系統電源へ電気的に接続されている。同様に、電源ラインＬ２は、他のフィルタ用リアクトルＬｆを通じて、接点ｔ２（Ｔ２ｃとＴ２ｄの接点／出力端）と系統電源とが電気的に接続される。インバータ回路１２０は、各パワートランジスタＴ２ａ〜Ｔ２ｄが駆動されると、パルス幅変調を実施させることで入力電力を正弦波状に変換させる。即ち、インバータ回路１２０は、昇圧コンバータ１１０から入力された第２の直流電力を交流電力へ変換させる。電源ラインＬ１，Ｌ２は、上述の如く接続されているため、インバータ回路１２０の出力電力（交流電力）を系統電源へ逆潮流させる（系統電源へ電力供給を行う）。
【００２０】
フィルタ回路１４０は、電源ラインＬ１，Ｌ２の各々にフィルタ用リアクトルＬｆが設けられ、電流の平滑化を担っている。また、電源ラインＬ１及びＬ２のライン間にフィルタコンデンサＣｆが設けられ、其の一端が電源ラインＬ１へ接続され、他端が電源ラインＬ２へ接続される。かかる如く、フィルタ回路１４０は、フィルタ用リアクトルＬｆ及びフィルタコンデンサＣｆによって、ＥＭＩ（Electric Magnetic Interference）の対策を執っている。
【００２１】
解列用リレーＲＹ３（電路遮断部）は、電源ラインＬ１，Ｌ２の各々に設けられるものであって、其の設定区間は、フィルタコンデンサＣｆと系統電源との間とされる。当該解列用リレーＲＹ３は、入力信号ｓ３に応じて導通状態または非導通状態に切換えられ、これにより、パワーコンディショナーユニット１００と系統電源との接続状態を、解列状態又は連系状態（導通状態）に切換える。このように、解列用リレーＲＹ３が解列状態とされると、フィルタコンデンサＣｆの電荷は、系統電源方向へ放電されることはない。
【００２２】
単独運転検出装置１５０は、電圧検出部１５１と停電判定部１５２とを内蔵させている。このうち、電圧検出部１５１は、系統電源の両端電圧を検出し、停電判定部１５２では、当該検出電圧に基づいて停電状態であるか否かの判定を行う。そして、停電判定部１５２は、停電である旨の判定結果が得られると、これを現す停電検出信号ｓ２を出力する。
【００２３】
制御回路１３０は、図示の如く、パワーコンディショナーユニット１００に設けられるものであって、ＣＰＵ，メモリ回路，ＡＤ変換回路，及び，クロック回路等が内部構成として配備される。また、制御回路１３０に設けられた入力ポートには、停電検出信号ｓ２，この他、平滑コンデンサＣ１の両端電圧を検出した電圧値信号，インバータ回路の出力電流を検出した電流値信号等が入力される。
【００２４】
また、メモリ回路には各種プログラムが記録され、このプログラムがＣＰＵ内のレジスタへフェッチされることにより、これらハードウェア資源とソフトウェア資源とが協同して後述する機能的処理を構築させる。図示の如く、本実施の形態に係る制御回路１３０には、コンバータ制御処理部１３１と、インバータ制御処理部１３２と、解列用リレー制御処理部１３３とが機能構築される。
【００２５】
このうち、コンバータ制御処理部１３１は、リアクトルＬｃ１の電流を検出し、当該電流が目標電流へ収束するよう、パワートランジスタＴ１へ与えるＰＷＭ信号ｓ１を設定する。この目標電流は、ＭＰＰＴ方式による処理結果で得られた電流値であって、出力電力を最大値に追従させる値である。
【００２６】
インバータ制御処理部１３２は、出力モード処理部１３２ａと解列モード処理部１３２ｂとが構築される。このうち、出力モード処理部１３２ａは、解列用リレーＲＹ３が連系状態の最中に機能する。当該出力モード１３２ａは、インバータ回路１２０からの出力電流を検出し、当該検出電流と要求電流との差分値を比例制御演算部へ導入させ、トランジスタへ与える指令信号ｓａ〜ｓｄ（ＰＷＭ信号）を演算する。ここで、指令信号ｓａはＴ２ａへ、指令信号ｓｂはＴ２ｂへ、指令信号ｓｃはＴ２ｃへ、指令信号ｓｄはＴ２ｄへ各々出力されることとなる。尚、要求電流とは系統電源の周期に同期して設定されるサイン波形情報であって、出力モード処理部１３２ａは、パワートランジスタＴ２ａ〜Ｔ２ｄを動作指令することで、Ｔ２ａ及びＴ２ｄのオンデューティ期間，Ｔ２ｂ及びＴ２ｃのオンデューティ期間が適宜設定され、系統電源のサイン波形に対応するよう出力電流を成形させる。
【００２７】
解列用リレー制御処理部１３３は、単独運転検出装置１５０から停電検出信号ｓ２が入力されると、信号ｓ３を出力させ、解列用リレーＲＹ３を解列状態とさせる。解列用リレー制御処理部１３３は、解列した旨の情報をインバータ制御処理部１３２へ与えることで、出力モード処理部１３２ａに基づくインバータ回路１２０の動作を停止させる。
【００２８】
解列用リレーＲＹ３が解列状態とされた後、インバータ制御処理部１３２は、解列モード処理部１３２ｂを機能させることとなる。解列モード処理部１３２ｂでは、半導体アームの各々に設けられた共通サイドのパワートランジスタに同一の指令信号を与え、一方の共通サイドのパワートランジスタ群を導通状態とさせ、且つ、他方の共通サイドのパワートランジスタ群を非導通状態とさせる。
【００２９】
本実施の形態では、図２に示す如く、ハイサイド側のパワートランジスタＴ２ａ及びＴ２ｃより成る一群の組合せをハイサイドトランジスタ群Ｔｘと呼ぶこととする。また、ローサイド側のパワートランジスタＴ２ｂ及びＴ２ｄより成る一群の組合せをローサイドトランジスタ群Ｔｙと呼ぶこととする。
【００３０】
以下、実施例１乃至実施例３によって、解列後におけるインバータ回路１２０の動作のバリエーションを説明することとする。
【実施例１】
【００３１】
本実施例に係る解列モード処理部１３２ｂは、解列用リレーＲＹ３が解列状態へ切換えられた後、指令信号（ｓａ，ｓｂ，ｓｃ，ｓｄ）＝（ＯＮ，ＯＦＦ，ＯＮ，ＯＦＦ）とさせ、ハイサイドトランジスタ群Ｔｘとローサイドトランジスタ群Ｔｙとの駆動状態を各々設定させる。かかる指令信号の組合せ状態を、以下、第１の指令信号と呼ぶ。
【００３２】
このように、制御回路１３０から第１の指令信号が出力されると、図３に示す如く、ハイサイドトランジスタ群Ｔｘの各々Ｔ２ａ，Ｔ２ｃが導通状態（オン状態）とされ、且つ、ローサイドトランジスタ群Ｔｙの各々Ｔ２ｂ，Ｔ２ｄが非導通状態（オフ状態）とされる。尚、導通状態とは、パワートランジスタのコレクタ〜エミッタ間に通過電流が流れる状態を指すものである。
【００３３】
図示の如く、フィルタコンデンサＣｆの電荷Ｑは、解列用リレーＲＹ３が解列状態とされているので、インバータ側に放電電流が流れ込むこととなる。例えば、フィルタコンデンサＣｆのＬ１側の極板が正電荷とされている場合（図３ａ）、この電荷が放電することで、電源ラインＬ１→パワートランジスタＴ２ａ→パワートランジスタＴ２ｃ→電源ラインＬ２，を経由する放電電流が発生する。また、フィルタコンデンサＣｆのＬ２側の極板が正電荷とされている場合（図３ｂ）、この電荷が放電することで、電源ラインＬ２→パワートランジスタＴ２ｃ→パワートランジスタＴ２ａ→電源ラインＬ１，を経由する放電電流が発生する。
【００３４】
このように、放電によって極板間の電荷Ｑが低下（又は消滅）する為、再連系される際、フィルタコンデンサの極性と系統電源の極性とが逆極性となるような場面を回避できる。これによると、想定され得る突入電流の最大限が当該逆極性の場合の半分程度とされ、再連系時の実際の突入電流は、これよりも低い電流値に抑えられる。このように、フィルタコンデンサＣｆは、再連系時に生じる突入電流が抑えられ、当該コンデンサの保護が図られることとなる。
【００３５】
また、本実施例に係る系統連系システム１０によると、系統電源との解列後、インバータ回路１２０を第１の指令信号によってスイッチング制御することで、フィルタコンデンサＣｆの電荷の放電経路をインバータ回路に形成させる。この為、当該系統連系システム１０は、回路を別途設けることなく、簡素な構成でフィルタコンデンサの電荷を放電させることが可能となる。また、かかる場面では、放電経路に介挿されたフィルタ用リアクトルＬｆが、当該放電電流の電流値を抑えるように機能する。
【実施例２】
【００３６】
本実施例に係る解列モード処理部１３２ｂは、解列用リレーＲＹ３が解列状態へ切換えられた後、指令信号（ｓａ，ｓｂ，ｓｃ，ｓｄ）＝（ＯＦＦ，ＯＮ，ＯＦＦ，ＯＮ）とさせ、ハイサイドトランジスタ群ＴｘとローサイドトランジスタＴｙとの駆動状態を各々設定させる。かかる指令信号の組合せ状態を、以下、第２の指令信号と呼ぶ。
【００３７】
このように、制御回路１３０から第２の指令信号が出力されると、図４に示す如く、ハイサイドトランジスタ群Ｔｘの各々Ｔ２ａ，Ｔ２ｃが非導通状態（オフ状態）とされ、且つ、ローサイドトランジスタ群Ｔｙの各々Ｔ２ｂ，Ｔ２ｄが導通状態（オン状態）とされる。
【００３８】
本実施例にあっても、以下の如く、インバータ回路内に放電経路が形成されることとなる。例えば、フィルタコンデンサＣｆのＬ１側の極板が正電荷とされている場合（図４ａ）、電源ラインＬ１→パワートランジスタＴ２ｂ→パワートランジスタＴ２ｄ→電源ラインＬ２，を経由する放電電流が発生する。また、フィルタコンデンサＣｆのＬ２側の極板が正電荷とされている場合（図４ｂ）、電源ラインＬ２→パワートランジスタＴ２ｄ→パワートランジスタＴ２ｂ→電源ラインＬ１，を経由する放電電流が発生する。
【００３９】
このように、本実施例にあっても、インバータ回路内に放電経路が形成されるのだから、実施例１と同様の効果を奏することは言うまでもない。
【実施例３】
【００４０】
本実施例に係る制御回路１３０は、上述した第１の指令信号と第２の指令信号とを交互に切換えるよう出力させる（第３の指令信号）。具体的には、数ｍｓｅｃ〜数ｓｅｃ程度の間隔で切換えられると良い。
【００４１】
このような信号（第３の指令信号）がインバータ回路１２０へ与えられると、「ハイサイドトランジスタ群Ｔｘの各々がオン状態，且つ，ローサイドトランジスタ群Ｔｙの各々がオフ状態。（第１の状態）」，及び，「ハイサイドトランジスタ群Ｔｘの各々がオフ状態，且つ，ローサイドトランジスタ群Ｔｙの各々がオン状態。（第２の状態）」，が所定間隔毎に切換えられることとなる。
【００４２】
この場合、放電経路は、ハイサイドトランジスタ群Ｔｘを経由する場面と、ローサイドトランジスタ群Ｔｙを経由する場面とが交互に形成されることとなる。このような動作を実施させる理由は、トランジスタのストレスバランスを取るためである。
【００４３】
このため、本実施例に係る解列モード処理部１３２ｂは、双方の放電経路を設定させることで、当該処理の一部期間について、放電に有利な放電経路を利用することが可能となる。また、かかる切換え動作を短時間で繰り返すことは、熱ストレスを均衡化しやすいという利点も奏する。
【００４４】
以上、実施の形態及び実施例に基づき本発明を具体的に説明してきたが、特許請求の範囲に記載の発明は、かかる事項によって限定されるものでなく、当該発明の技術的思想に基づいて適宜変更が可能である。例えば、実施の形態にあっては、分散型電源として太陽電池モジュールが用いられている。しかし、この分散型電源なる用語の意義は、これに限らず、燃料電池，風力発電機，小規模水力発電装置等、自然エネルギーを用いて発電し得る機器に及ぶものである。このような分散型電源を用いる場合、其の電源の性質に応じて、パワーコンディショナーに組込まれるコンバータの構成・制御を適宜置換える必要がある。
【符号の説明】
【００４５】
１０  発電システム，    １２電流センサ，    ＰＶＰ  太陽電池モジュール，    ＰＶＢ  接続箱，    ＲＹ１〜ＲＹ３  リレー，    ＬＤ１  負荷，    １００  系統連係システム，    １０１  発電部用入力部，    １０２  出力部，    １０３  蓄電池用入力部，    １１０  ＰＦＣコンバータ，    １２０  インバータ，    １３０  制御回路，    １４０  フィルタ回路。
【図１】
2014117086.tif 000003
【図２】
2014117086.tif 000004
【図３】
2014117086.tif 000005
【図４】
2014117086.tif 000006